(57)【要約】【課題】シートの搬送路を形成する経路部材が移動可能な構成でも、シートを搬送路に沿って適正に搬送できる装置を提供する。【解決手段】当該装置は、筐体１４と、筐体１４に左右方向９両端部を回動可能に支持されており、記録用紙１２が搬送される湾曲した湾曲路６５Ａを形成する第１経路部材１９と、筐体１４に支持されており、第１経路部材１９の湾曲内側に対向して配置された第２経路部材１８と、を備える。第１経路部材１９は、第２経路部材１８とともに湾曲路６５Ａを形成する第１位置、及び当該第１位置よりも第２経路部材１８から離間している第２位置に回動可能である。筐体１４は、第１経路部材１９を左右方向９中央部において支持する外側支持部８０を備える。外側支持部８０は、第１経路部材１９を搬送路６５と面する側とは反対側、つまり後側から支持する。【選択図】図７
2014118247.tif 000002
【特許請求の範囲】
【請求項１】
装置本体と、
上記装置本体に支持されており、シートが搬送される湾曲した搬送路を形成する第１経路部材と、
上記装置本体に支持されており、上記第１経路部材の湾曲内側に上記第１経路部材と対向して配置されており、上記搬送路を形成する第２経路部材と、を備え、
上記第１経路部材は、上記第２経路部材とともに上記搬送路を形成する第１位置、及び上記第１位置よりも上記第２経路部材から離間している第２位置に移動可能であり、
上記装置本体は、上記第１経路部材をシートの搬送向きと交差する幅方向の端部において支持する第１支持部と、上記第１経路部材を上記第１支持部よりも上記幅方向の内側において支持する第２支持部と、を備え、
上記第２支持部は、上記第１経路部材を上記搬送路と面する側とは反対側から支持する搬送装置。
【請求項２】
上記第１経路部材は、上記第１位置及び上記第２位置に回動するものであり、
上記第１支持部は、上記第１経路部材を回動可能に支持するものである請求項１に記載の搬送装置。
【請求項３】
上記搬送路は湾曲しており、且つ、当該搬送路の下流側は上流側よりも上に位置しており、
上記第１経路部材は、当該第１経路部材の上記搬送向きの上流側に、上記第１支持部に支持される回動軸部を備える請求項２に記載の搬送装置。
【請求項４】
上記第１経路部材は、当該第１経路部材の回動軸を通り且つ上記第２支持部と当接する当接部を備える請求項２または３に記載の搬送装置。
【請求項５】
上記第２支持部は、上記第１経路部材と当接する当接位置よりも上記搬送向きの下流側まで延設されており、
上記第１経路部材は、上記当接位置よりも上記搬送向きの下流側の位置であって、当該第１経路部材が上記第１位置及び上記第２位置の間を回動する際に上記第２支持部が占める領域を通る位置に、孔を備える請求項２から４のいずれかに記載の搬送装置。
【請求項６】
上記第１経路部材は、上記幅方向において、上記搬送向きに直交する向きの上記第２経路部材との距離が第１距離である第１領域部と、上記搬送向きに直交する向きの上記第２経路部材との距離が上記第１距離よりも長い第２距離である第２領域部と、を備え、
上記第２支持部は、上記第１経路部材の上記第１領域部を支持する請求項１から５のいずれかに記載の搬送装置。
【請求項７】
上記第２支持部は、上記搬送路にシートが存在する第１状態と、上記搬送路にシートが存在しない第２状態と、において、上記第１経路部材と当接する請求項１から６のいずれかに記載の搬送装置。
【請求項８】
上記第２支持部は、上記第１経路部材が湾曲外側に撓んだ状態において上記第１経路部材と当接する請求項１から６のいずれかに記載の搬送装置。
【請求項９】
上記第２支持部は、上記幅方向において間隔を空けて複数設けられている請求項１から８のいずれかに記載の搬送装置。
【請求項１０】
シートが載置される載置部と、
上記載置部に載置されたシートを上記搬送路へ給送する給送ローラと、
正逆転可能であり、正転または逆転することによって上記給送ローラによって上記搬送路へ給送されたシートを上記搬送向きに搬送する搬送ローラと、を更に備え、
上記搬送路は、当該搬送路へ給送されたシートを上記載置部に載置された状態から反転させるように湾曲しており、
上記搬送ローラは、上記搬送路の湾曲部よりも上記搬送向きの下流側に設けられている請求項１から９のいずれかに記載の搬送装置。
【請求項１１】
上記第１経路部材に対して上記第２経路部材と反対側の位置であって上記第１経路部材と対向する位置において上記装置本体に支持されており、上記第１経路部材とともにシートが搬送される湾曲した補助搬送路を形成する第３経路部材を更に備え、
上記第３経路部材は、上記搬送向きに直交する向きの上記第１経路部材との距離が第３距離である第３領域部と、当該第３領域部よりも上記幅方向において外側であり且つ上記搬送向きに直交する向きの上記第１経路部材との距離が上記第３距離よりも長い第４距離である第４領域部と、を備え、
上記第２支持部は、上記第１経路部材における上記第４領域部と対向する部分を支持する請求項１から９のいずれかに記載の搬送装置。
【請求項１２】
シートが載置される第２載置部と、
上記第２載置部に載置されたシートを上記補助搬送路へ給送する第２給送ローラと、
正逆転可能であり、正転または逆転することによって上記第２給送ローラによって上記補助搬送路へ給送されたシートを上記搬送向きに搬送する第２搬送ローラと、を更に備え、
上記補助搬送路は、当該補助搬送路へ給送されたシートを上記第２載置部に載置された状態から反転させるように湾曲しており、
上記第２搬送ローラは、上記補助搬送路の湾曲部よりも上記搬送向きの下流側に設けられている請求項１１に記載の搬送装置。
【発明の詳細な説明】
【技術分野】
【０００１】
本発明は、搬送路に沿ってシートを搬送する搬送装置に関する。
【背景技術】
【０００２】
内部に形成された搬送路に沿ってシートを搬送させる搬送装置が知られている。このような搬送装置としては、例えばプリンタや複合機などの画像記録装置がある。このような画像記録装置の多くにおいては、シートが搬送路で詰まってしまった場合、搬送路の一部を外部に露出させて、詰まったシートを取り出すことができる。このような画像記録装置の一例として、特許文献１には、搬送路を形成する経路部材が回動することによって、搬送路を外部に露出させることができる画像記録装置が開示されている。
【先行技術文献】
【特許文献】
【０００３】
【特許文献１】特開２０１０−８３６２６号公報
【発明の概要】
【発明が解決しようとする課題】
【０００４】
しかしながら、特許文献１に開示された画像記録装置では、以下の問題が生じるおそれがある。つまり、画像記録装置の本体に回動可能に取り付けられた経路部材は、画像記録装置の本体に固定された場合よりも、撓むことになどによって変形し易い。そのため、搬送路を搬送されているシートが経路部材に押しつけられた場合、経路部材は、シートに押されることによって変形してしまうおそれがある。特に、搬送路を搬送されているシートが光沢紙やハガキなどの厚紙の場合、当該シートが経路部材を押しつける力は大きくなり、経路部材が変形する可能性が大きくなってしまう。
【０００５】
経路部材が変形すると、シートが、搬送路を適正に搬送されず、搬送路において詰まってしまうおそれがある。
【０００６】
本発明は、上記問題に鑑みてなされたものであり、その目的は、シートが搬送される搬送路を形成する経路部材が移動可能に構成されていても、シートを搬送路に沿って適正に搬送することができる手段を提供することにある。
【課題を解決するための手段】
【０００７】
(1)  本発明に係る搬送装置は、装置本体と、上記装置本体に支持されており、シートが搬送される湾曲した搬送路を形成する第１経路部材と、上記装置本体に支持されており、上記第１経路部材の湾曲内側に上記第１経路部材と対向して配置されており、上記搬送路を形成する第２経路部材と、を備える。上記第１経路部材は、上記第２経路部材とともに上記搬送路を形成する第１位置、及び上記第１位置よりも上記第２経路部材から離間している第２位置に移動可能である。上記装置本体は、上記第１経路部材をシートの搬送向きと交差する幅方向の端部において支持する第１支持部と、上記第１経路部材を上記第１支持部よりも上記幅方向の内側において支持する第２支持部と、を備える。上記第２支持部は、上記第１経路部材を上記搬送路と面する側とは反対側から支持する。
【０００８】
本構成によれば、第１経路部材は、第２経路部材よりも装置本体における湾曲外側に設けられている。また、第１経路部材及び第２経路部材によって形成される搬送路は湾曲している。このため、搬送路を搬送されるシートは、湾曲外側に設けられた第１経路部材に押しつけられる。すると、第１経路部材は、湾曲外側に変形しようとする。しかし、本構成によれば、第２支持部が、湾曲外側へ変形しようとする第１経路部材と当接する。これにより、第１経路部材の湾曲外側への変形を抑制することができる。
【０００９】
(2)  上記第１経路部材は、上記第１位置及び上記第２位置に回動するものである。上記第１支持部は、上記第１経路部材を回動可能に支持するものである。本構成は、第１経路部材を第１位置及び第２位置の間で移動させる好適な構成である。
【００１０】
(3)  上記搬送路は湾曲しており、且つ、当該搬送路の下流側は上流側よりも上に位置している。上記第１経路部材は、当該第１経路部材の上記搬送向きの上流側に、上記第１支持部に支持される回動軸部を備える。本構成によれば、第１経路部材の回動軸は、搬送向きの上流側、つまり当該第１経路部材の下側に設けられている。そのため、第１経路部材は、自重によって第１位置から第２位置に回動することができる。その結果、本構成によれば、搬送路に詰まったシートを容易に取り出すことができる。
【００１１】
(4)  上記第１経路部材は、当該第１経路部材の回動軸を通り且つ上記第２支持部と当接する当接部を備える。本構成によれば、当接部は第１経路部材の回動軸を通っているため、当接部と当接する第２支持部が第１経路部材の回動を阻害し難い。
【００１２】
(5)  上記第２支持部は、上記第１経路部材と当接する当接位置よりも上記搬送向きの下流側まで延設されている。上記第１経路部材は、上記当接位置よりも上記搬送向きの下流側の位置であって、当該第１経路部材が上記第１位置及び上記第２位置の間を回動する際に上記第２支持部が占める領域を通る位置に、孔を備える。
【００１３】
本構成によれば、第２支持部は、当接位置において第１経路部材と当接するため、第１経路部材の変形を抑制することができる。また、本構成によれば、第１経路部材が第１位置及び第２位置の間を回動しても、第２支持部は孔を通過するために第１経路部材と干渉しない。その結果、第１経路部材の回動の阻害を防止することができる。
【００１４】
(6)  上記第１経路部材は、上記幅方向において、上記搬送向きに直交する向きの上記第２経路部材との距離が第１距離である第１領域部と、上記搬送向きに直交する向きの上記第２経路部材との距離が上記第１距離よりも長い第２距離である第２領域部と、を備える。上記第２支持部は、上記第１経路部材の上記第１領域部を支持する。
【００１５】
搬送路において第２経路部材との距離が短い場合、シートが第１経路部材に押しつけられやすい。しかし、本構成によれば、第２支持部は、搬送路において第２経路部材との距離が短い位置に対応する第１経路部材の第１領域部を支持する。そのため、第１経路部材の湾曲外側への変形を抑制することができる。
【００１６】
(7)  上記第２支持部は、上記搬送路にシートが存在する第１状態と、上記搬送路にシートが存在しない第２状態と、において、上記第１経路部材と当接する。本構成によれば、第２支持部は、シートの有無にかかわらず第１経路部材と当接しているため、第１経路部材の湾曲外側への撓みを小さく抑えることができる。
【００１７】
(8)  上記第２支持部は、上記第１経路部材が湾曲外側に撓んだ状態において上記第１経路部材と当接する。本構成によれば、第２支持部は、第１経路部材が撓んでいない通常状態において、第１経路部材と当接して配置される必要がない。そのため、第２支持部の配置の自由度を高めることができる。
【００１８】
(9)  上記第２支持部は、上記幅方向において間隔を空けて複数設けられている。本構成によれば、第１経路部材の湾曲外側への変形を幅方向における広範囲に亘って抑制することができる。
【００１９】
(10)  本発明に係る搬送装置は、シートが載置される載置部と、上記載置部に載置されたシートを上記搬送路へ給送する給送ローラと、正逆転可能であり、正転または逆転することによって上記給送ローラによって上記搬送路へ給送されたシートを上記搬送向きに搬送する搬送ローラと、を更に備える。上記搬送路は、当該搬送路へ給送されたシートを上記載置部に載置された状態から反転させるように湾曲している。上記搬送ローラは、上記搬送路の湾曲部よりも上記搬送向きの下流側に設けられている。
【００２０】
本構成においては、搬送路は、給送されてきたシートを上記載置部に載置された状態から反転させるように湾曲している。そのため、給送されてきたシートは湾曲外側に位置する第１経路部材に押しつけられやすい。また、本構成においては、搬送ローラは、シートを搬送向きに搬送する回転向きと逆向きに回転することによって、シートの斜行矯正である所謂レジスト処理を実行することができる。レジスト処理が実行された場合、シートは、より強い力で第１経路部材に押しつけられる。しかし、本構成では、上記（１）〜（７）により、第１経路部材の湾曲外側への変形を抑制することができる。以上より、本構成は、本発明の機能を実現するための好適な構成である。
【００２１】
(11)  本発明に係る搬送装置は、上記第１経路部材に対して上記第２経路部材と反対側の位置であって上記第１経路部材と対向する位置において上記装置本体に支持されており、上記第１経路部材とともにシートが搬送される湾曲した補助搬送路を形成する第３経路部材を更に備える。上記第３経路部材は、上記搬送向きに直交する向きの上記第１経路部材との距離が第３距離である第３領域部と、当該第３領域部よりも上記幅方向において外側であり且つ上記搬送向きに直交する向きの上記第１経路部材との距離が上記第３距離よりも長い第４距離である第４領域部と、を備える。上記第２支持部は、上記第１経路部材における上記第４領域部と対向する部分を支持する。
【００２２】
本構成において、補助搬送路は、装置本体における第１経路部材よりも湾曲外側に形成されている。そのため、第１経路部材の湾曲外側に配置された第２支持部は、補助搬送路に面している。そこで、本構成によれば、第２支持部は、第１経路部材における第４領域部と対向する部分を支持する。ここで、第４領域部では、第３経路部材と第１経路部材との距離が長い。よって、本構成によれば、補助搬送路に面している第２支持部がシートの搬送を阻害する可能性を低く抑えることができる。
【００２３】
(12)  本発明に係る搬送装置は、シートが載置される第２載置部と、上記第２載置部に載置されたシートを上記補助搬送路へ給送する第２給送ローラと、正逆転可能であり、正転または逆転することによって上記第２給送ローラによって上記補助搬送路へ給送されたシートを上記搬送向きに搬送する第２搬送ローラと、を更に備え、上記補助搬送路は、当該補助搬送路へ給送されたシートを上記第２載置部に載置された状態から反転させるように湾曲しており、上記第２搬送ローラは、上記補助搬送路の湾曲部よりも上記搬送向きの下流側に設けられているものであってもよい。
【発明の効果】
【００２４】
本発明によれば、第２支持部が、移動可能に構成された第１経路部材の湾曲外側への変形を抑制する。そのため、シートを搬送路に沿って適正に搬送することができる。
【図面の簡単な説明】
【００２５】
【図１】図１は、複合機１０を斜め前から見た斜視図である。
【図２】図２は、複合機１０における後側を模式的に示した縦断面図である。
【図３】図３は、複合機１０を斜め後ろから見た斜視図である。
【図４】図４は、第３経路部材５６が開放位置であり第１経路部材１９が第１位置である複合機１０の斜視図である。
【図５】図５は、第３経路部材５６が開放位置であり第１経路部材１９が第２位置である複合機１０の斜視図である。
【図６】図６は、複合機１０における下側且つ後側の平面図である。
【図７】図７は、図６のＶＩＩ−ＶＩＩ断面図である。
【図８】図８は、図６のＶＩＩＩ−ＶＩＩＩ断面図である。
【図９】図９は、第３経路部材５６の斜視図である。
【図１０】図１０は、第１経路部材１９の斜視図である。
【発明を実施するための形態】
【００２６】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが「向き」と表現され、矢印の起点と終点とを結ぶ線上の往来が「方向」と表現される。また、以下の説明では、複合機１０が使用可能に設置された状態（図１の状態）を基準として上下方向７が定義され、開口１３が形成された側を手前側（正面）として前後方向８が定義され、複合機１０を手前側から見て左右方向９が定義される。
【００２７】
［複合機１０の全体構造］
図１に示されるように、複合機１０（本発明の搬送装置の一例）は、概ね直方体に形成されており、筐体１４（本発明の装置本体の一例）を備えている。複合機１０は、ファクシミリ機能及びプリント機能などの各種の機能を有している。ここで、プリント機能は、記録用紙１２（本発明のシートの一例、図２参照）の少なくとも一方の面に画像を記録する機能であるが、本実施形態では、記録用紙１２の片面に画像を記録する複合機１０について説明する。
【００２８】
筐体１４の正面には開口１３が形成されている。開口１３の奥には、空間が形成されている。後述する第１給送トレイ２０（本発明の載置部の一例）及び第２給送トレイ２２（本発明の第２載置部の一例）が、前後方向８にスライドすることによって、開口１３を通じて空間に挿抜可能である。つまり、第１給送トレイ２０及び第２給送トレイ２２は、筐体１４に対して装着可能である。
【００２９】
図２に示されるように、筐体１４の内部には、搬送ローラ対５７、排出ローラ対５８、記録部２４、第１給送トレイ２０、第２給送トレイ２２、排出トレイ２１、第１給送部２８、及び第２給送部２９などが配置されている。
【００３０】
第１給送トレイ２０及び第２給送トレイ２２は、筐体１４に装着された状態において、記録部２４の下方に配置されている。第１給送トレイ２０が筐体１４に装着された状態において、第１給送トレイ２０に載置された記録用紙１２が後述する搬送路６５へ供給可能となる。第２給送トレイ２２が筐体１４に装着された状態において、第２給送トレイ２２に載置された記録用紙１２が後述する補助搬送路６６へ供給可能となる。
【００３１】
各給送トレイ２０、２２は、上側が開放された概ね直方体の箱状に形成されている。第１給送トレイ２０は、複数の記録用紙１２が重畳して載置される底板７５を備えている。第２給送トレイ２２は、複数の記録用紙１２が重畳して載置される底板７６を備えている。第１給送トレイ２０における前側の上部は、排出トレイ２１によって覆われている。排出トレイ２１は、第１給送トレイ２０と一体に前後方向８にスライドする。
【００３２】
底板７５に載置された記録用紙１２は、第１給送部２８によって後向きに送られることで搬送路６５に給送され、搬送路６５を図２に一点鎖線で示される搬送向き１６に搬送される。搬送路６５を搬送される記録用紙１２の搬送向き１６の先端が搬送ローラ対５７に到達すると、当該記録用紙１２は搬送ローラ対５７によって搬送路６５を記録部２４へ向けて搬送向き１６に搬送される。記録部２４の直下へ到達した記録用紙１２は、記録部２４によって画像記録される。画像記録された記録用紙１２は、排出ローラ対５８によって搬送路６５を搬送向き１６に搬送されて排出トレイ２１に排出される。
【００３３】
なお、底板７６に載置された記録用紙１２は、第２給送部２９によって後向きに送られることで補助搬送路６６に給送される。当該記録用紙１２は、補助搬送路６６を図２に二点鎖線で示される搬送向き１７に搬送される。補助搬送路６６は、合流位置３６において搬送路６５と合流している。ここで、合流位置３６は、搬送ローラ対５７よりも搬送向き１６の上流側であり且つ搬送ローラ対５７に近接する位置である。
【００３４】
［搬送路６５］
搬送路６５は、記録用紙１２を案内する経路である。図２に示されるように、搬送路６５は、筐体１４に装着された第１給送トレイ２０の後端部から搬送ローラ対５７及び記録部２４を経て排出トレイ２１の上方まで延びている。搬送路６５は、湾曲路６５Ａ（本発明の搬送路の湾曲部の一例）と排出路６５Ｂとで構成されている。
【００３５】
湾曲路６５Ａは湾曲しており、且つ、当該湾曲路６５Ａの搬送向き１６の下流側は搬送向き１６の上流側よりも上に位置している。詳細には、湾曲路６５Ａは、給送トレイ２０に載置されており第１給送部２８によって後向きに給送された記録用紙１２を、下方から上方へＵターンするように案内するように延びている。換言すると、湾曲路６５Ａは、当該湾曲路６５Ａへ給送された記録用紙１２を第１給送トレイ２０に載置された状態から反転させるように湾曲している。以上より、第１給送トレイ２０の底板７５に載置された記録用紙１２は、湾曲路６５Ａを下方から上方へＵターンするように搬送された後、搬送ローラ対５７に至る。湾曲路６５Ａは、後述する第１経路部材１９と第２経路部材１８とによって形成されている。
【００３６】
排出路６５Ｂは、湾曲路６５Ａと同様に、記録用紙１２を案内する経路である。排出路６５Ｂは、搬送ローラ対５７において湾曲路６５Ａの搬送向き１６の下流端と連続しており、排出トレイ２１の上方まで延びている。排出路６５Ｂは、概ね前後方向８に沿って直線状に延びている。以上より、搬送ローラ対５７に到達した記録用紙１２は、搬送ローラ対５７によって排出路６５Ｂを前向きに搬送された後、排出トレイ２１に排出される。
【００３７】
排出路６５Ｂは、記録部２４が配置されている以外の部分において、上側経路部材５４と下側経路部材５５とによって形成されている。また、排出路６５Ｂは、記録部２４が配置されている部分において、記録部２４と記録用紙１２を支持するプラテン４２とによって形成されている。
【００３８】
［補助搬送路６６］
補助搬送路６６は、搬送路６５と同様に、記録用紙１２を案内する経路である。図２に示されるように、補助搬送路６６は、筐体１４に装着された第２給送トレイ２２の後端部から合流位置３６まで延びている。補助搬送路６６は、第１経路部材１９と後述する第３経路部材５６とによって形成されている。
【００３９】
補助搬送路６６は、湾曲路６５Ａの後方に形成されている。つまり、補助搬送路６６は、湾曲路６５Ａの湾曲外側に形成されている。また、本実施形態において、補助搬送路６６は、上下方向７に概ね真っ直ぐ延びた部分と、当該真っ直ぐ延びた部分の搬送向き１７の下流端と連続しており且つ湾曲路６５Ａと同じ向きに湾曲した部分（本発明の補助搬送路の湾曲部の一例）とで構成されている。なお、本実施形態において、補助搬送路６６は、一部のみが湾曲しているが、全体に亘って湾曲していてもよい。
【００４０】
以上より、補助搬送路６６は湾曲しており、且つ、当該補助搬送路６６の搬送向き１７の下流側は搬送向き１７の上流側よりも上に位置している。換言すると、補助搬送路６６は、湾曲路６５Ａと同様に、補助搬送路６６へ給送された記録用紙１２を第２給送トレイ２２に載置された状態から反転させるように湾曲している。以上より、第２給送トレイ２２の底板７６に載置された記録用紙１２は、補助搬送路６６を下方から上方へＵターンするように搬送されてから、合流位置３６を経て湾曲路６５Ａに搬送され、搬送ローラ対５７に至る。
【００４１】
［搬送ローラ対５７及び排出ローラ対５８］
図２に示されるように、湾曲路６５Ａよりも搬送向き１６の下流側且つ排出路６５Ｂよりも搬送向き１６の上流側には、搬送ローラ６０及びピンチローラ６１よりなる搬送ローラ対５７が設けられている。また、排出路６５Ｂには、排出ローラ６２及び拍車６３よりなる排出ローラ対５８が設けられている。
【００４２】
各ローラ対５７、５８は、記録用紙１２を挟持する。各ローラ６０、６２は、モータ（不図示）から正逆転の駆動力が付与されて回転する。正転または逆転の一方の駆動力が付与された各ローラ６０、６２は、記録用紙１２を、搬送向き１６に搬送させる回転向きに回転する。ここで、記録用紙１２は、底板７５に載置されており第１給送部２８によって搬送路６５に給送されたもの、或いは底板７６に載置されており第２給送部２９によって補助搬送路６６に給送されたものである。つまり、搬送ローラ６０は、本発明の搬送ローラの一例であるとともに本発明の第２搬送ローラの一例でもある。以上より、各ローラ６０、６２は、正転または逆転の一方に回転することによって給送トレイ２０、２２から給送された記録用紙１２を搬送向き１６に搬送する。
【００４３】
一方、正転または逆転の他方の駆動力が付与された各ローラ６０、６２は、記録用紙１２を搬送向き１６と逆向きに搬送させる回転向きに回転する。これにより、各ローラ６０、６２は、正転または逆転の他方に回転することによって給送トレイ２０、２２から給送された記録用紙１２を搬送向き１６と逆向きに搬送する。以上より、各ローラ６０、６２は、正逆転可能である。
【００４４】
なお、搬送ローラ６０は、記録用紙１２を搬送向き１６と逆向きに搬送させる回転向きに回転することにより、記録用紙１２の斜行を是正する所謂レジスト処理を実行することができる。詳細には、搬送ローラ６０は、記録用紙１２の搬送向き１６の先端が搬送ローラ６０と当接した状態において予め設定された時間だけ、記録用紙１２を搬送向き１６と逆向きに搬送させる回転向きに回転される。これにより、記録用紙１２の斜行が是正される。その後、搬送ローラ６０は、記録用紙１２を搬送向き１６に搬送させる回転向きに回転される。これにより、斜行が是正された記録用紙１２は、搬送向き１６に搬送される。
【００４５】
［記録部２４］
図２に示されるように、排出路６５Ｂにおける搬送ローラ対５７及び排出ローラ対５８の間には、記録部２４が設けられている。本実施形態において、記録部２４は、インクジェット方式によって、排出路６５Ｂを搬送される記録用紙１２に画像を記録する。なお、記録部２４が記録用紙１２に画像を記録する方式は、インクジェット方式に限らず、電子写真方式などの他の方式であってもよい。
【００４６】
［第１給送部２８及び第２給送部２９］
図２に示されるように、筐体１４に装着された状態の第１給送トレイ２０の上方には、第１給送部２８が設けられている。第１給送部２８は、第１給送ローラ２５（本発明の給送ローラの一例）、第１アーム２６、及び第１軸部２７を備えている。
【００４７】
第１給送ローラ２５は、第１アーム２６の先端側に回転可能に支持されている。第１アーム２６は、筐体１４に支持された第１軸部２７に回動可能に支持されている。第１アーム２６は、第１軸部２７に支持されている側を前側として後方に延出されている。第１アーム２６は、自重或いはバネ等による弾性力によって下方へ回動付勢されている。これにより、第１給送ローラ２５は、底板７５に記録用紙１２が載置されていない場合、底板７５に当接する。また、第１給送ローラ２５は、底板７５に記録用紙１２が載置されている場合、載置された記録用紙１２のうち最上の記録用紙１２に当接する。
【００４８】
第１給送ローラ２５は、モータ（不図示）から駆動力が付与されて回転する。当該モータは、各ローラ６０、６２に駆動力を付与するモータと同一であってもよいし異なっていてもよい。回転した第１給送ローラ２５は、底板７５に載置された記録用紙１２をピックアップして後向きに送る。これにより、記録用紙１２は、湾曲路６５Ａへ給送される。
【００４９】
図２に示されるように、筐体１４に装着された状態の第２給送トレイ２２の上方には、第２給送部２９が設けられている。第２給送部２９は、第２給送ローラ３０、第２アーム３１、及び第２軸部３２を備えている。第２給送ローラ３０は、モータ（不図示）から駆動力が付与されて回転することによって、底板７６に載置された記録用紙１２を補助搬送路６６へ給送する。なお、第２給送ローラ３０、第２アーム３１、及び第２軸部３２は、それぞれ上述した第１給送ローラ２５、第１アーム２６、及び第１軸部２７と同様の構成である。そのため、それらの詳細な説明は省略される。
【００５０】
［第１経路部材１９及び第２経路部材１８］
図２、図７、及び図８に示されるように、第１経路部材１９は、上下方向７及び左右方向９が前後方向８よりも長くなる状態（図４参照）で、筐体１４の内部に、第２経路部材１８の後側に第２経路部材１８と前後方向８に対向するように配置されている。第１経路部材１９は、筐体１４を構成するフレーム３９（図４及び図５参照）に回動可能に支持されている。以上より、第１経路部材１９は、第２経路部材１８と対向する位置において筐体１４に支持されている。第１経路部材１９の回動については後述する。
【００５１】
図１０に示されるように、第１経路部材１９は、平板形状の基部９１と、基部９１の前面から前側に突出された複数のリブ３７と、基部９１の後面から後側に突出された複数のリブ９２と、基部９１の左右両端から左右方向９に沿って突出された突起３８と、を備えている。複数のリブ３７は、湾曲路６５Ａを搬送される記録用紙１２と当接し、記録用紙１２を記録部２４へ案内する。複数のリブ９２は、補助搬送路６６を搬送される記録用紙１２と当接し、記録用紙１２を記録部２４へ案内する。
【００５２】
複数のリブ３７は、左右方向９に間隔を空けて形成されている。また、各リブ３７の突出先端面は、搬送向き１６に沿って延びている。つまり、各リブ３７の突出先端面の搬送向き１６の上流側は概ね上下方向７に沿って延びており、各リブ３７の突出先端面の搬送向き１６の下流側は前側に湾曲している。なお、リブ９２については、後述する。
【００５３】
図２、図７、及び図８に示されるように、第２経路部材１８は、第１経路部材１９の前方、つまり湾曲内側に第１経路部材１９と対向して配置されている。第２経路部材１８の後面、つまり第１経路部材１９と対向する面は、第１経路部材１９の各リブ３７の突出先端面と同様に搬送向き１６に沿って延びている。第２経路部材１８は、筐体１４を構成するフレーム（不図示）に支持されている。
【００５４】
複数のリブ３７の突出先端面を繋いだ仮想的な面は、湾曲路６５Ａの湾曲外側を区画している。一方、第２経路部材１８の後面は、湾曲路６５Ａの湾曲内側を区画している。つまり、第１経路部材１９は、第２経路部材１８とともに湾曲路６５Ａを形成する。なお、本実施形態においては、第１経路部材１９はリブを有しているため、湾曲路６５Ａを区画する面は、リブの突出先端によって仮想的に形成されるが、リブがない場合には、湾曲路６５Ａを区画する面は、第１経路部材１９に実際に形成されている面である。
【００５５】
図１０に示されるように、複数のリブ３７は、リブ３７Ａと、当該リブ３７Ａよりも突出長さが短いリブ３７Ｂとで構成されている。リブ３７Ａは、第１経路部材１９の左右方向９（本発明の幅方向の一例）における中央側に配置されている。一方、リブ３７Ｂは、リブ３７Ａよりも左右方向９における両端側に配置されている。
【００５６】
第１経路部材１９において、リブ３７Ａが配置されている左右方向９の中央側の領域である第１領域部（左右方向９の範囲Ａ１に亘る領域）では、第１経路部材１９における湾曲路６５Ａの湾曲内側を区画する面と第２経路部材１８の後面との、搬送向き１６と直交する向きにおける距離が第１距離Ｌ１となる（図７参照）。一方、第１経路部材１９において、リブ３７Ｂが配置されている左右方向９の両端側の領域である第２領域部（左右方向９の範囲Ａ２に亘る領域）では、第１経路部材１９における湾曲路６５Ａの湾曲内側を区画する面と第２経路部材１８の後面との、搬送向き１６と直交する向きにおける距離が第１距離Ｌ１よりも長い第２距離Ｌ２となる（図８参照）。つまり、第１経路部材１９は、湾曲路６５Ａの湾曲外側を区画する面に、第１領域部及び第２領域部を備えている。
【００５７】
第１経路部材１９の下端部（第１経路部材１９の搬送向き１６の上流端部）における左右方向９の両端から、一対の突起３８が左右方向９の外側に向けて突出している。一方、筐体１４を構成するフレーム３９（図４及び図５参照）の、第１経路部材１９の突起３８と対向する位置には、開口４０（図４及び図５参照）が形成されている。フレーム３９は、筐体１４の後端部において、左右方向９に所定間隔（第１経路部材１９の左右方向９の長さよりも若干長い間隔）を空けて一対に配置されている。突起３８は、一対のフレーム３９の各々に形成された開口４０に挿入されている。また、一対の突起３８は左右方向９に延びた軸線上にある。以上より、第１経路部材１９は、図２に実線で示され且つ図４に示される第１位置と、図２に破線で示され且つ図５に示される第２位置とに回動する。なお、第１位置にある第１経路部材１９は、回動先端の左右方向９における端部を図示しないフレームによって位置決めされている。従って、第１位置にある第１経路部材１９は、第２経路部材１８と所定距離を保っている。
【００５８】
以上より、開口４０の縁を構成する面は、第１経路部材１９を左右方向９の端部において回動可能に支持するものであり、本発明の第１支持部の一例である。また、一対の突起３８は、第１経路部材１９の回動軸を構成しており、本発明の回動軸部の一例である。
【００５９】
ここで、第１経路部材１９が第１位置のとき、第１経路部材１９と第２経路部材１８とは、搬送向き１６と直交する向きにおいて、記録用紙１２が案内されるに適した所定距離を維持して対向している。つまり、第１位置の第１経路部材１９は、第２経路部材１８とともに湾曲路６５Ａを形成する。一方、第１経路部材１９が第２位置のとき、第１経路部材１９は第１位置のときよりも第２経路部材１８から離間しており、湾曲路６５Ａは、後述する第３経路部材５６が開放位置であることを条件として、外部に露出する。詳細には、第２位置における第１経路部材１９は、搬送向き１６の下流側端部において第２経路部材１８から離間している。これにより、記録用紙１２が湾曲路６５Ａにおいて詰まったとき、複合機１０のユーザは、第１経路部材１９を第１位置から第２位置に回動させることによって、詰まった記録用紙１２を取り出すことができる。
【００６０】
［外側支持部８０］
図７及び図８に示されるように、第１経路部材１９の下方には、補助経路部材５３が配置されている。補助経路部材５３は、筐体１４のフレームのうち、上下方向７において第１給送トレイ２０と第２給送トレイ２２との間に設けられたフレーム４１によって支持されている。つまり、補助経路部材５３は、筐体１４に設けられている。補助経路部材５３は、左右方向９に延設されている（図４参照）。補助経路部材５３の後面は、第１経路部材１９の後面の下方において、補助搬送路６６の湾曲内側を区画している。
【００６１】
図４及び図７に示されるように、補助経路部材５３の上端部であって第１経路部材１９の下端近傍には、上方に突出した突起である外側支持部８０が複数（本実施形態では２つ）形成されている。つまり、２つの外側支持部８０が、筐体１４に設けられている。各外側支持部８０は、左右方向９において互いに間隔を空けて配置されている。なお、本実施形態において、外側支持部８０は、２つ形成されているが、３つ以上形成されていてもよい。
【００６２】
外側支持部８０は、左右方向９において、一対のフレーム３９のうちの右側のフレーム３９に形成された開口４０よりも左側であり、且つ一対のフレーム３９のうちの左側のフレーム３９に形成された開口４０よりも右側に形成されている。また、外側支持部８０は、前後方向８において、第１経路部材１９よりも後方に形成されている。また、外側支持部８０は、第１経路部材１９の後面に後方から当接することによって、第１経路部材１９を後側から支持している。以上より、外側支持部８０は、第１経路部材１９を開口４０よりも左右方向９の内側において支持する。また、外側支持部８０は、第１経路部材１９を湾曲路６５Ａと面する側とは反対側から支持する。
【００６３】
外側支持部８０は、左右方向９の範囲Ａ１に亘る領域において、第１経路部材１９の後面と当接する。つまり、外側支持部８０は、第１経路部材１９の第１領域部を支持している。換言すると、２つの外側支持部８０は、左右方向９において、第１経路部材１９のリブ３７Ａが形成されている領域の内側に位置している。詳細には、２つの外側支持部８０は、左右方向９において、複数のリブ３７Ａのうち一番左側に配置されているリブ３７Ａよりも右側であって、複数のリブ３７Ａのうち一番右側に配置されているリブ３７Ａよりも左側に設けられている。
【００６４】
外側支持部８０は、第１経路部材１９の後面の下端部と当接する。ここで、上述したように、第１経路部材１９の回動軸を構成する一対の突起３８は、第１経路部材１９の下端部に設けられている。よって、第１経路部材１９の下端部は、第１経路部材１９の回動軸を通る。そして、第１経路部材１９の下端部には、外側支持部８０と当接する部分である当接部４３が形成されている。つまり、第１経路部材１９は、第１経路部材１９の回動軸を通る当接部４３を備えている。この当接部４３は、左右方向９において、複数のリブ３７Ａのうち一番左側に配置されているリブ３７Ａよりも右側であって、複数のリブ３７Ａのうち一番右側に配置されているリブ３７Ａよりも左側に設けられている。
【００６５】
外側支持部８０は、湾曲路６５Ａにおける記録用紙１２の存在の有無に関わらず、第１経路部材１９の後面と当接するように配置されている。詳述すると、本実施形態において、外側支持部８０は、湾曲路６５Ａに記録用紙１２が存在しない状態において、第１経路部材１９と当接するように配置されている。これにより、湾曲路６５Ａに記録用紙１２が存在している場合に、第１経路部材１９がその前面を当該記録用紙１２に押されて後方へ撓もうとしても、第１経路部材１９の後面は外側支持部８０と当接しているため、第１経路部材１９は後方へ撓まない。つまり、外側支持部８０は、湾曲路６５Ａに記録用紙１２が存在する第１状態と、湾曲路６５Ａに記録用紙１２が存在しない第２状態とにおいて、第１経路部材１９と当接する。
【００６６】
図４に示されるように、外側支持部８０は、第１経路部材１９の当接部４３よりも上方、つまり搬送向き１６の下流側まで突出している。つまり、外側支持部８０は、第１経路部材１９と当接する当接位置よりも搬送向き１６の下流側まで延設されている。
【００６７】
一方、第１経路部材１９には、孔４４が形成されている。孔４４は、当接部４３の上側、つまり上記当接位置よりも搬送向き１６の下流側に形成されている。孔４４は、第１経路部材１９が第１位置の状態において、外側支持部８０に対して前後方向８に対向する位置に形成されている。詳細には、孔４４は、外側支持部８０の当接部４３よりも上側の部分に対して前後方向８に対向する位置に形成されている。
【００６８】
また、孔４４は、第１経路部材１９が第１位置及び第２位置の間を回動する際に外側支持部８０が占める領域を通る位置に形成されている。また、孔４４は、第１経路部材１９が第１位置及び第２位置の間を回動する際に外側支持部８０が挿通される大きさに形成されている。
【００６９】
以上のような孔４４が第１経路部材１９に形成されているために、第１位置に位置する第１経路部材１９（図４参照）が第２位置に回動すると、外側支持部８０は孔４４に挿通する。そして、図５に示されるように、第１経路部材１９が第２位置に位置する状態において、外側支持部８０の突出先端側は、孔４４を貫通して、第１経路部材１９の上方に突出した状態となる。
【００７０】
［第３経路部材５６］
図２に示されるように、第３経路部材５６は、上下方向７及び左右方向９が前後方向８よりも長くなる状態（図４及び図５参照）で、第１経路部材１９の後方に第１経路部材１９と前後方向８に対向するように配置されている。第３経路部材５６は、筐体１４を構成するフレーム４５（図４参照）に回動可能に支持されている。以上より、第３経路部材５６は、第１経路部材１９に対して第２経路部材１８と反対側の位置であって第１経路部材１９と対向する位置において筐体１４に支持されている。なお、第３経路部材５６の回動については後述する。
【００７１】
図９に示されるように、第３経路部材５６は、平板形状の基部８１と、基部８１の左右両端部から前側に突出された一対の側部８２と、基部８１における一対の側部８２の間から前側に突出された複数のリブ８３と、一対の側部８２の各々から左右方向９の外側に向けて突出された突起８４と、を備えている。第３経路部材５６の突起８４は、上下方向７における下側であって、搬送向き１７における上流側に設けられている。複数のリブ８３は、補助搬送路６６を搬送される記録用紙１２と当接し、記録用紙１２を案内する。
【００７２】
複数のリブ８３は、左右方向９に間隔を空けて形成されている。また、各リブ８３の突出先端面は、搬送向き１７に沿って延びている。つまり、各リブ８３の突出先端面の搬送向き１７の上流側は概ね上下方向７に沿って延びており、各リブ８３の突出先端面の搬送向き１７の下流側は前側に湾曲している。
【００７３】
一方、第１経路部材１９に形成された複数のリブ９２（図１０参照）は、左右方向９に間隔を空けて形成されている。また、各リブ９２の突出先端面は、搬送向き１７に沿って延びている。つまり、各リブ９２の突出先端面の搬送向き１７の上流側は概ね上下方向７に沿って延びており、各リブ９２の突出先端面の搬送向き１７の下流側は前側に湾曲している。
【００７４】
複数のリブ８３の突出先端面を繋いだ仮想的な面は、補助搬送路６６の湾曲外側を区画している。一方、第１経路部材１９に形成された複数のリブ９２の突出先端面を含む面は、補助搬送路６６の湾曲内側を区画している。つまり、第３経路部材５６は、第１経路部材１９とともに補助搬送路６６を形成する。なお、本実施形態においては、第３経路部材５６の内側及び第１経路部材１９の外側はリブを有しているため、補助搬送路６６を区画する面は、リブの突出先端によって仮想的に形成されるが、リブがない場合には、補助搬送路６６を区画する面は、第３経路部材５６の内側及び第１経路部材１９に実際に形成されている面である。
【００７５】
複数のリブ８３は、リブ８３Ａと、当該リブ８３Ａよりも突出長さが短いリブ８３Ｂとを備えている。リブ８３Ａは、第３経路部材５６の左右方向９における中央部に配置されている。一方、リブ８３Ｂは、リブ８３Ａよりも左右方向９における両端側に配置されている。また、リブ８３Ａの突出長さは、リブ８３Ｂの突出長さよりも長い。
【００７６】
以上より、第３経路部材５６において、リブ８３Ａが配置されている左右方向９の中央側の領域である第３領域部（左右方向９の範囲Ａ３に亘る領域、図６参照）では、第３経路部材５６における補助搬送路６６の湾曲外側を区画する面と、第１経路部材１９における補助搬送路６６の湾曲内側を区画する面との、搬送向き１６と直交する向きにおける距離が第１距離Ｌ３（不図示）となる。一方、第３経路部材５６において、リブ８３Ｂが配置されている左右方向９の両端側の領域である第４領域部（左右方向９の範囲Ａ４に亘る領域、図６参照）では、第３経路部材５６における補助搬送路６６の湾曲外側を区画する面と、第１経路部材１９における補助搬送路６６の湾曲内側を区画する面との、搬送向き１６と直交する向きにおける距離が第３距離Ｌ３よりも長い第４距離Ｌ４（不図示）となる。つまり、第３経路部材５６は、補助搬送路６６の湾曲外側を区画する面に、第３領域部及び第４領域部を備えている。
【００７７】
リブ８３Ａは、左右方向９において、右側の外側支持部８０よりも左側であり且つ左側の外側支持部８０よりも右側に設けられている。つまり、外側支持部８０は、左右方向９において、第４領域部と対向する位置に設けられている。すなわち、外側支持部８０は、第１経路部材１９における第４領域部と対向する部分を支持する。
【００７８】
第３経路部材５６の下端部、つまり第３経路部材５６の搬送向き１７の上流端部における左右方向９の両端から、一対の突起８４が左右方向９の外側に向けて突出している。一方、筐体１４を構成するフレーム４５（図４参照）の、第３経路部材５６の突起８４と対向する位置には、開口（不図示）が形成されている。ここで、フレーム４５は、上述したフレーム３９の後方において、左右方向９に所定間隔（第３経路部材５６の左右方向９の長さよりも若干長い間隔）を空けて一対に配置されている。そして、突起８４はフレーム４５に設けられた開口に挿入されている。また、一対の突起８４は、左右方向９に延びた軸線上にある。これにより、第３経路部材５６は、図２に実線で示され且つ図３に示される閉塞位置と、図２に破線で示され且つ図４及び図５に示される開放位置とに回動する。なお、閉塞位置における第３経路部材５６は、回動先端がフレームの図示しない位置決め部によって位置決めされる。 従って、閉塞位置にある第３経路部材５６は、第１位置にある第１経路部材１９と所定距離を保っている。
【００７９】
第３経路部材５６が閉塞位置のとき、第３経路部材５６の前面と第１経路部材１９の後面とは、記録用紙１２が案内されるに適した所定距離を維持して対向している。つまり、閉塞位置の第３経路部材５６は、第１経路部材１９とともに補助搬送路６６を形成する。一方、第３経路部材５６が開放位置のとき、補助搬送路６６は外部に露出される。これにより、記録用紙１２が補助搬送路６６において詰まったとき、複合機１０のユーザは、第３経路部材５６を閉塞位置から開放位置に回動させることによって、詰まった記録用紙１２を取り出すことができる。
【００８０】
［実施形態の効果］
本実施形態によれば、第１経路部材１９は、第２経路部材１８よりも筐体１４における湾曲外側に設けられている。また、第１経路部材１９及び第２経路部材１８によって形成される湾曲路６５Ａは湾曲している。このため、湾曲路６５Ａを搬送される記録用紙１２は、湾曲外側に設けられた第１経路部材１９に押しつけられる。すると、第１経路部材１９は、湾曲外側に変形しようとする。しかし、本実施形態によれば、外側支持部８０が、湾曲外側へ変形しようとする第１経路部材１９と当接する。これにより、第１経路部材１９の湾曲外側への変形を抑制することができる。そのため、記録用紙１２を湾曲路６５Ａに沿って適正に搬送することができる。
【００８１】
また、第１経路部材１９が回動する本実施形態は、第１経路部材１９を第１位置及び第２位置の間で移動させる好適な構成である。
【００８２】
また、本実施形態によれば、第１経路部材１９の回動軸は、搬送向き１６の上流側、つまり当該第１経路部材１９の下側に設けられている。そのため、第１経路部材１９は、自重によって第１位置から第２位置に回動することができる。その結果、本構成によれば、湾曲路６５Ａに詰まった記録用紙１２を容易に取り出すことができる。
【００８３】
また、本実施形態によれば、当接部４３は第１経路部材１９の回動軸を通っているため、当接部４３と当接する外側支持部８０が第１経路部材１９の回動を阻害し難い。
【００８４】
また、本実施形態によれば、外側支持部８０は、当接位置において第１経路部材１９と当接するため、第１経路部材１９の変形を抑制することができる。また、本実施形態によれば、第１経路部材１９が第１位置及び第２位置の間を回動しても、外側支持部８０は孔４４を通過するために第１経路部材１９と干渉しない。その結果、第１経路部材１９の回動の阻害を防止することができる。
【００８５】
また、湾曲路６５Ａにおいて第２経路部材１８との距離が短い場合、記録用紙１２が第１経路部材１９に押しつけられやすい。しかし、本実施形態によれば、外側支持部８０は、湾曲路６５Ａにおいて第２経路部材１８との距離が短い位置に対応する第１経路部材１９の第１領域部を支持する。そのため、第１経路部材１９の湾曲外側への変形を抑制することができる。
【００８６】
また、本実施形態によれば、外側支持部８０は、記録用紙１２の有無にかかわらず第１経路部材１９と当接しているため、第１経路部材１９の湾曲外側への撓みを小さく抑えることができる。
【００８７】
また、本実施形態によれば、外側支持部８０は左右方向９において複数設けられているため、第１経路部材１９の湾曲外側への変形を左右方向９における広範囲に亘って抑制することができる。
【００８８】
また、本実施形態によれば、湾曲路６５Ａは、給送されてきた記録用紙１２を第１給送トレイ２０に載置された状態から反転させるように湾曲している。そのため、給送されてきた記録用紙１２は湾曲外側に位置する第１経路部材１９に押しつけられやすい。また、本実施形態においては、搬送ローラ６０は、記録用紙１２を搬送向き１６に搬送する回転向きと逆向きに回転することによって、記録用紙１２の斜行矯正である所謂レジスト処理を実行することができる。レジスト処理が実行された場合、記録用紙１２は、より強い力で第１経路部材１９に押しつけられる。しかし、本実施形態では、上述したように、第１経路部材１９の湾曲外側への変形を抑制することができる。以上より、本実施形態は、本発明の機能を実現するための好適な構成である。
【００８９】
また、本実施形態において、補助搬送路６６は、筐体１４における第１経路部材１９よりも湾曲外側に形成されている。そのため、第１経路部材１９の湾曲外側に配置された外側支持部８０は、補助搬送路６６に面している。そこで、本実施形態によれば、外側支持部８０は、第１経路部材１９における第４領域部と対向する部分を支持する。ここで、第４領域部では、第３経路部材５６と第１経路部材１９との距離が長い。よって、本実施形態によれば、補助搬送路６６に面している外側支持部８０が記録用紙１２の搬送を阻害する可能性を低く抑えることができる。
【００９０】
［変形例１］
上述の実施形態では、第１経路部材１９は、回動することによって第１位置と第２位置との間を移動したが、回動以外によって第１位置と第２位置との間を移動してもよい。例えば、第１経路部材１９は、前後方向８に沿って移動することによって第１位置と第２位置との間を移動してもよい。また、第１経路部材１９は、筐体１４に対して取り外し可能に構成されており、筐体１４から取り外されることによって第１位置から第２位置に移動し、筐体１４に取り付けられることによって第２位置から第１位置に移動してもよい。なお、第３経路部材５６も、第１経路部材１９と同様に、回動以外によって閉塞位置と開放位置との間を移動してもよい。
【００９１】
［変形例２］
上述の実施形態では、外側支持部８０は、湾曲路６５Ａに記録用紙１２が存在する第１状態と、湾曲路６５Ａに記録用紙１２が存在しない第２状態とにおいて、第１経路部材１９と当接した。しかし、外側支持部８０は、第２状態において、第１経路部材１９と当接していなくてもよい。この場合、外側支持部８０は、第１経路部材１９が湾曲路６５Ａに存在する記録用紙１２に押されることによって後側（湾曲外側）に撓んだ状態において、第１経路部材１９と当接する。ここで、第２状態における第１経路部材１９と外側支持部８０との隙間の大きさは、第１経路部材１９の撓みの許容量に応じて決定される。
【００９２】
変形例２によれば、外側支持部８０は、第１経路部材１９が撓んでいない通常状態において、第１経路部材１９と当接して配置される必要がない。そのため、外側支持部８０の配置の自由度を高めることができる。
【００９３】
［変形例３］
補助搬送路６６に、記録用紙１２を搬送向き１７に搬送する補助搬送ローラ対５９が設けられていてもよい。ここで、補助搬送ローラ対５９は、補助搬送ローラ６７及び補助ピンチローラ６８で構成されている。この場合、補助搬送ローラ６７が本発明の第２搬送ローラの一例であり、搬送ローラ６０が本発明の搬送ローラの一例となる。
【００９４】
［変形例４］
上述の実施形態では、外側支持部８０が複数設けられていたが、外側支持部８０は１つだけ設けられていてもよい。
【００９５】
［変形例５］
上述の実施形態では、第１領域部と第２領域部との境界において、搬送向き１６と直交する向きの第１経路部材１９と第２経路部材１８との距離が、第１距離Ｌ１から第２距離Ｌ２へ切り替わった。しかし、搬送向き１６と直交する向きの第１経路部材１９と第２経路部材１８との距離が、第１距離Ｌ１から第２距離Ｌ２へ段階的に切り替わってもよい。このような構成を実現するため、例えば、複数のリブ３７を以下のように構成すればよい。つまり、リブ３７は、第１経路部材１９の左右方向９における中央から外側へ向かうに従って、突出長さが徐々に長くなるように構成されていればよい。
【００９６】
［変形例６］
上述の実施形態では、第３領域部と第４領域部との境界において、搬送向き１７と直交する向きの第３経路部材５６と第１経路部材１９との距離が、第３距離Ｌ３から第４距離Ｌ４へ切り替わった。しかし、搬送向き１７と直交する向きの第３経路部材５６と第１経路部材１９との距離が、第３距離Ｌ３から第４距離Ｌ４へ段階的に切り替わってもよい。このような構成を実現するため、例えば、複数のリブ８３を以下のように構成すればよい。つまり、リブ８３は、第３経路部材５６の左右方向９における中央から外側へ向かうに従って、突出長さが徐々に長くなるように構成されていればよい。
【符号の説明】
【００９７】
１０・・・複合機
１２・・・記録用紙
１４・・・筐体
１６・・・搬送向き
１８・・・第２経路部材
１９・・・第１経路部材
６５・・・搬送路
８０・・・外側支持部
【図１】
2014118247.tif 000003
【図２】
2014118247.tif 000004
【図３】
2014118247.tif 000005
【図４】
2014118247.tif 000006
【図５】
2014118247.tif 000007
【図６】
2014118247.tif 000008
【図７】
2014118247.tif 000009
【図８】
2014118247.tif 000010
【図９】
2014118247.tif 000011
【図１０】
2014118247.tif 000012